(57)【要約】      （修正有）【課題】ペットボトルの先端を口まで運ぶ必要がなく、かつ廃棄物がコンパクトになるため持ち帰り廃棄も安易な、携帯用飲料容器を提供する。【解決手段】容器本体２の上部に口部３を装着し、同上部の両端部に、肩紐６の端部を装着し、前記容器本体２の背面に、被装着部７を形成し、前記口部３に、ストロー５を装着し、当該ストロー５は、口部３の下部から容器本体２内部に延設される内部ストロー５．１と、口部３の上部から容器本体２外部に延設される外部ストロー５．２とから構成され、前記外部ストロー５．２の長さと、前記内部ストロー５．１の長さの比を、１００〜２００：１００に形成した、ことを特徴とする携帯用飲料容器１。【選択図】図１
0003145222.tif 000002
【実用新案登録請求の範囲】
【請求項１】
容器本体（２）の上部に口部（３）を装着し、同上部の両端部に、肩紐（６）の端部を装着し、
前記容器本体（２）の背面に、被装着部（７）を形成し、
前記口部（３）に、ストロー（５）を装着し、当該ストロー（５）は、口部（３）の下部から容器本体（２）内部に延設される内部ストロー（５．１）と、口部（３）の上部から容器本体（２）外部に延設される外部ストロー（５．２）とから構成され、
前記外部ストロー（５．２）の長さ（Ｌ１）と、前記内部ストロー（５．１）の長さ（Ｌ２）の比を、１００〜２００：１００に形成した、ことを特徴とする携帯用飲料容器（１）。
【請求項２】
前記外部ストロー（５．２）の途中に、流路開閉部材（５．３）を装着したことを特徴とする請求項１に記載の携帯用飲料容器（１）。
【請求項３】
前記外部ストロー（５．２）の途中に、係止部（５．４）を装着したことを特徴とする請求項１に記載の携帯用飲料容器（１）。
【考案の詳細な説明】
【技術分野】
【０００１】
本考案は、例えばスポーツ飲料等を充填した携帯用飲料容器に関し、携行しながら容易に飲食できるように改良した携帯用飲料容器に関する。さらに詳述すれば、携帯中に飲食するときの煩わしさを緩和し、飲食終了後は、廃棄時の量を減少させることができる。
本考案の携帯用飲料容器は、レクレーション、スポーツ、ウォーキング時の幅広い用途に好適に使用できる。
【背景技術】
【０００２】
スポーツ飲料等は、ペットボトルに充填して、市販されているものが主流であるが、ペットボトルは、立体的に嵩張り、容量の大きいものは、荷物になって携行が煩わしい。
ペットボトルは、あえて身体に装着して、携行するには、別途、紐付の容器（袋）を準備する必要がある。
またペットボトルは、飲食する時に、口部のキャップをわざわざ取り外さないといけない点、さらにペットボトルを手で掴んで持ち上げて、口部（注液口）の先端を、飲食者の口まで運ばなければならないという煩わしさがある。またキャップを外すときに液が洩れることがある。
【０００３】
他方、立体的に嵩張りの少ない可とう性のプラスチック容器を飲料容器として使用した発明が、特許文献１、２、３に記載されている。
同文献１、２、３には、可とう性のプラスチック容器に、ストローを配置した点が記載されている。これらの各文献１、２、４に記載のストロー、特に口部から容器本体の外部に延設されている外部ストローは、短く形成され、そのうえに、口部（注液口）に、キャップ等が被冠されている。
このため外部ストローの先端（注液口）から飲食するには、ペットボトルと同様に、キャップ等をわざわざ取り外し、容器本体を手で掴んで持ち上げて、外部ストローの先端（注液口）を、飲食者の口まで運ばなければならないという煩わしさがある。
また特許文献４、５には、可とう性のプラスチック容器に、肩紐を装着した発明が開示されている。これらは、単に携行するには便利であるが、口部（注液口）は、ペットボトルと同様にキャップ構造になっているので、飲食時には、ペットボトルと同様の課題があった。
【０００４】
【特許文献１】実用新案公開昭５６−１６６２４６号公報（実用新案登録請求の範囲、図１）
【特許文献２】実用新案公開昭５７−１４４８４０号公報（図２）
【特許文献３】特開２００１−２４００７６（要約、図１）
【特許文献４】実用新案公開平２−５９１４４号公報（図４）
【特許文献５】特開２００３−１９１９７１（図１）
【考案の開示】
【考案が解決しようとする課題】
【０００５】
従来のペットボトル、可とう性のプラスチック容器からなる飲料容器は、口部のキャップをわざわざ取り外さないといけない点、さらにペットボトル（容器）を手で掴んで持ち上げて、口部（注液口）の先端を、口まで運ばなければならないという煩わしさがある点である。
【課題を解決するための手段】
【０００６】
［１］本考案は、容器本体（２）の上部に口部（３）を装着し、同上部の両端部に、肩紐（６）の端部を装着し、
前記容器本体（２）の背面に、被装着部（７）を形成し、
前記口部（３）に、ストロー（５）を装着し、当該ストロー（５）は、口部（３）の下部から容器本体（２）内部に延設される内部ストロー（５．１）と、口部（３）の上部から容器本体（２）外部に延設される外部ストロー（５．２）とから構成され、
前記外部ストロー（５．２）の長さ（Ｌ１）と、前記内部ストロー（５．１）の長さ（Ｌ２）の比を、１００〜２００：１００に形成した、携帯用飲料容器（１）を提供する。
［２］本考案は、前記外部ストロー（５．２）の途中に、流路開閉部材（５．３）を装着した、［１］に記載の携帯用飲料容器（１）を提供する。
［３］本考案は、前記外部ストロー（５．２）の途中に、係止部（５．４）を装着した、［１］に記載の携帯用飲料容器（１）を提供する。
【考案の効果】
【０００７】
（１）外部ストロー５．２の先端（注液口）を、飲食者の口まで運ぶのみで、飲食可能である。
（２）外部ストロー５．２の先端（注液口）を、飲食者の口付近に固定して配置しておくことにより、手を使用しなくても、飲食可能である。
（３）以上のように、従来のペットボトル、可とう性のプラスチック容器のように、ペットボトル（容器本体を手で掴んで持ち上げて、口部（注液口）の先端を、口まで運ばなければならないという煩わしさを解消できる。
（４）ペットボトルと比較して、容器本体２の嵩張りが少ないので、廃棄物がコンパクトになるため持ち帰り廃棄も安易になる。
【考案を実施するための最良の形態】
【０００８】
図１は、本考案の携帯用飲料容器１（以下、「容器１」）の概略図、図２は図１の一部拡大側面図である。
［容器１］
容器１は、図１に例示するように容器本体２上部の略中央部に口部３を装着し同上部の両端部に、肩紐６の端部を装着している。
容器本体（２）の背面に、被装着部（７）を形成している。また口部３にストロー５（５．１、５．２）を装着している。
［容器本体２］
容器本体２の構成材料は、例えばポリエチレン等の可とう性材料からなり、例えばインフレーションチューブ（または二枚のプラスチックシート）により形成される。
容量は、例えば、５００、１０００、１５００ｍｌ等飲食者の携行性を考慮して適宜設定できる。
容器本体２内には、ブドウ糖、カルシウム、ソルビトール等、レクレーション、スポーツ、ウォーキング時を行う飲食者の嗜好に応じた成分を含んだ液体（飲料）が充填される。
【０００９】
［ストロー５（５．１、５．２）］
口部３に装着しているストロー５は、口部３の下部から容器本体２内部に延設される内部ストロー５．１と口部３の上部から容器本体２外部に延設される外部ストロー５．２（飲みやすい自在ストローともいう）とから構成されている。
外部ストロー５．２の長さ（Ｌ１）を、内部ストロー５．１の長さ（Ｌ２）の比を、１００〜２００：１００に形成している。
このように外部ストロー５．２の長さ（Ｌ１）を、長く形成することにより、容器本体を手で掴んで持ち上げることなく、外部ストロー５．２の先端（注液口）のみを飲食者の口に近づけるのみで、飲食が可能となる。
外部ストロー５．２の途中に、飲食しないときは、先端（注液口）から液体が洩れないように、液体流路を閉塞でき、飲食するときは、閉塞した液体流路を開放できる流路開閉部材５．４が装着されている。
このため外部ストロー５．２は、可とう性を有する材料より形成するのがよい。
流路開閉部材５．４として、例えば外付けのクランプ（外部ストロー５に外から圧力をくわえて液体の流路の開閉できるもの）等が使用される。
また外部ストロー５．２の途中に、飲食者の衣服、装備品等に装着できるクリップ等の係止部５．４を装着し、先端（注液口）が、飲食者の口の近傍に固定して配置されるように調整することができる。
なお携帯用飲料容器１の出荷時に、外部ストロー５．２の先端（注液口）の衛生性を保持するために、必要であれば、簡易なキャップ５．５等を装着しても良い。
【００１０】
［肩紐６］
肩紐６は、図１に例示するように、半ループ、半輪（状のもの）、半環（状のもの）で、断面が略円形、帯状の平たいもの、中空のチューブ状等、何でも使用できる。
肩紐６は、容器本体２上部の両端部に、端部を装着している。図中、６．１は固定部である。これらの固定は、熱溶着または容器本体２上部の両端部に係止穴を設け、これに肩紐６の端部を係止するようにしてもよい。
［被装着部７］
容器本体２の背面に、被装着部７を装着している。被装着部７は、図２に例示するように、容器本体２の背面に、熱溶着、両面テープ等で固定されている。図中、７．１は固定部である。
被装着部７は、帯状に形成され、飲食者のベルト等に装着できるように形成されている。またポシエットタイプのものも使用できる。
【図面の簡単な説明】
【００１１】
【図１】本考案の携帯用飲料容器の一例を示す概略図（全体図）
【図２】図１の一部拡大側面図
【符号の説明】
【００１２】
１      携帯用飲料容器
２      容器本体
３      口部
５      ストロー
５．１  内部ストロー
５．２  外部ストロー
５．３  流路開閉部材（クランプ）
５．４  係止部（クリップ）
５．５  キャップ
６      肩紐
６．１  固定部
７      被装着部（ベルト装着部）
７．１  固定部
【図１】
0003145222.tif 000003
【図２】
0003145222.tif 000004